(57)【要約】【課題】  鍋蓋を数枚重ねて収納する事ができるとともに指先が不自由な人でも指、手のひらを使い安全に鍋蓋を使用し調理できることを可能とする鍋蓋を提供する。【解決手段】  鍋蓋と、鍋蓋周縁の一部から指先や他の鍋蓋の一部を挿入可能な挿入空間を鍋蓋上に構成するように設けられた操作部とよりなる事を特徴とする重ね収納式鍋蓋。【選択図】図  １
2005342450.tif 000002
【特許請求の範囲】
【請求項１】
鍋蓋と、鍋蓋周縁の一部から指先や他の鍋蓋の一部を挿入可能な挿入空間を鍋蓋上に構成するように設けられた操作部とよりなる重ね収納式鍋蓋。
【請求項２】
操作部の先端に指掛け用のかえし部を設けた事を特徴とする請求項１記載の重ね収納式鍋蓋。
【請求項３】
操作部に任意のフックに吊り下げる為のフック用穴を設けた事を特徴とする請求項１又は２記載の重ね収納式鍋蓋。
【発明の詳細な説明】
【技術分野】
【０００１】  本発明は、鍋蓋を数枚重ねて収納することができるとともに、指先が不自由な人でも指、手のひらを使い、安全に鍋蓋を使用し調理できることを可能にした鍋蓋である。
【背景技術】
【０００２】従来、鍋蓋のつまみは蓋の中央に飛び出すようにつまみが設けられていた。
【発明の開示】
【発明が解決しようとする課題】
【０００３】  そのために、次のような問題点があった。
（イ）蓋を重ねる事が難しく収納に場所を広く必要とし不安定に重ねても崩れてしまう        ことがあった。
（ロ）指先が不自由な人はなるべく蓋は使わず調理するということがあった。
本発明は以上の問題点を解決しようとするものである。
【問題を解決する為の手段】
【０００４】  鍋蓋と、鍋蓋周縁の一部から指先や他の鍋蓋の一部を挿入可能な挿入空間を鍋蓋上に構成するように設けられた操作部とよりなる事を特徴とする重ね収納式鍋蓋である。
【発明の効果】
【０００５】  本発明は操作部と鍋蓋の間に他の蓋を収納可能となるように鍋蓋周縁部から操作部を設けた事により蓋を何枚も重ねて収納できる。
又、収納空間に指を差し込めるので指、手のひらで蓋を握って持ち上げる事ができる。更に操作部先端の握り部分下に指が滑らないようにかえしをつけることにより、ひっかかりが強くなり簡単に鍋蓋を持ち上げられる。指先の不自由な人でも安心して蓋を使い調理ができる。操作部に２箇所のフック用の穴を設けた事によりフックを通して吊り下げ、空間収納が可能になり収納場所を広く必要としない。効率よく台所を使う事ができる。
【発明を実施する為の形態】
【０００６】  以下、本発明の形態について図１から図７を利用して説明する。本発明は鍋蓋（６）と操作部（１）より構成される。図において鍋蓋（６）は湾曲した形状よりなり、蒸気穴（５）が設けられ、外方向に広がった周縁部（７）を有する。周縁部（７）には操作部固定用の穴（４）が２ヶ所設けられている。
操作部（１）は鍋蓋の蒸気穴（５）の反対側周縁の一部（７）から指先や他の鍋蓋を挿入可能な空間を鍋蓋（６）の上に構成するように取り付けられその先には握り部（９）が形成されている。鍋蓋（６）と操作部（１）を固定する部分は鍋蓋の周縁（７）に沿って伸び、操作部固定用の穴（４）でボルト（８）を使い固定する。握り部（９）の先端下には指掛け用のかえし（２）が設けられている。又、操作部（１）にはフック穴を２ヶ所（３）設ける。図３に示すようにフック穴（３ａ）は握り部（９）中心の折り返した位置に縦長に設けられている。もう一方のフック穴（３ｂ）は鍋蓋（６）と握り部（９）が接した立ち上がり部に設けられている。本発明は以上の構造である。
鍋蓋（６）は図４、図５に示すように操作部（１）と鍋蓋（６）の空間に他の鍋蓋を何枚も挿入でき、収納ボックス（１０）に重ね収納する事ができる。又、図６に示すように操作部（１）の握り部（９）下のかえし（２）に指を掛け、手のひら全体で握り部（９）を握る事により鍋蓋（６）を安全に持つ事ができる。鍋蓋（６）を空間収納する際は、図７に示すとおりフック（１１）を握り部（９）に設けられた縦長の穴（３ａ）に上から通し、下からすくい上げるように立ち上がり部の穴（３ｂ）に通して棚、壁に掛ける。尚、鍋蓋としては湾曲した物以外に図８に示すようにフラット式の物であってもよい。
【図面の簡単な説明】
【０００７】
【図１】本発明の側面図
【図２】本発明の分解斜視図
【図３】本発明の断面図
【図４】本発明の使用状態を示す図
【図５】本発明の使用状態を示す断面図
【図６】本発明の使用状態を示す図
【図７】本発明の使用状態を示す図
【図８】フラット式鍋蓋の側面図
【符号の説明】
【０００８】      １    操作部
２    かえし
３；３ａ；３ｂフック穴
４    固定部用穴
５    蒸気穴
６    鍋蓋
７    鍋蓋周縁
８    ボルト
９    握り部
１０  収納ボックス
１１  フック
【図１】
2005342450.tif 000003
【図２】
2005342450.tif 000004
【図３】
2005342450.tif 000005
【図４】
2005342450.tif 000006
【図５】
2005342450.tif 000007
【図６】
2005342450.tif 000008
【図７】
2005342450.tif 000009
【図８】
2005342450.tif 000010
【手続補正書】
【提出日】平成16年12月3日(2004.12.3)
【手続補正１】
【補正対象書類名】明細書
【補正対象項目名】０００６
【補正方法】変更
【補正の内容】
【０００６】  以下、本発明の形態について図１から図７を利用して説明する。本発明は鍋蓋（６）と操作部（１）より構成される。図において鍋蓋（６）は湾曲した形状よりなり、蒸気穴（５）が設けられ、外方向に広がった周縁部（７）を有する。周縁部（７）には操作部固定用の穴（４）が２ヶ所設けられている。
操作部（１）は鍋蓋の蒸気穴（５）の反対側周縁の一部（７）から指先や他の鍋蓋を挿入可能な空間を鍋蓋（６）の上に構成するように取り付けられ、その先端は、図２に示すとおり上から指複数本を差し込こみ手全体で握ることが出来るだけの巾を持つ握り部（９）が形成されている。鍋蓋（６）と操作部（１）を固定する部分は鍋蓋の周縁（７）に沿って伸び、操作部固定用の穴（４）でボルト（８）を使い固定する。握り部（９）の先端下には指掛け用のかえし（２）が設けられている。又、操作部（１）にはフック穴を２ヶ所（３）設ける。図３に示すようにフック穴（３ａ）は握り部（９）中心の折り返した位置に縦長に設けられている。もう一方のフック穴（３ｂ）は鍋蓋（６）と握り部（９）が接した立ち上がり部に設けられている。本発明は以上の構造である。
鍋蓋（６）は図４、図５に示すように操作部（１）と鍋蓋（６）の空間に他の鍋蓋を何枚も挿入でき、収納ボックス（１０）に重ね収納する事ができる。又、図６に示すように操作部（１）の握り部（９）に上から指を何本か差し込むことにより下のかえし（２）に指を掛け、手のひら全体で握り部（９）を握る事になり鍋蓋（６）を安全に持つ事ができる。鍋蓋（６）を空間収納する際は、図７に示すとおりフック（１１）を握り部（９）に設けられた縦長の穴（３ａ）に上から通し、下からすくい上げるように立ち上がり部の穴（３ｂ）に通して棚、壁に掛ける。尚、鍋蓋に操作部を固定するには差し込み式で固着しても良い。又、鍋蓋としては湾曲した物以外に図８に示すようにフラット式のであっても良い。